(57)【要約】【課題】体重計を収納した部屋への入室時において、体重計に躓いて転倒する危険性を抑制した体重計収納装置を提供する。【解決手段】収納キャビネットと、前記収納キャビネットの体重計収納部に収納された体重計を前方に引き出して体重の測定が可能な状態とする移動機構と、を備え、前記収納キャビネットは、前記体重計収納部を覆い横開きする扉を有し、前記収納キャビネットから前記体重計を引き出した状態においては、前記体重計の側方に前記扉が開いた状態に保持され、且つ閉止不能となることを特徴とする体重計収納装置が提供される。【選択図】図３
2009069115.tif 000002
【特許請求の範囲】
【請求項１】
収納キャビネットと、
前記収納キャビネットの体重計収納部に収納された体重計を前方に引き出して体重の測定が可能な状態とする移動機構と、
を備え、
前記収納キャビネットは、前記体重計収納部を覆い横開きする扉を有し、前記収納キャビネットから前記体重計を引き出した状態においては、前記体重計の側方に前記扉が開いた状態に保持され、且つ閉止不能となることを特徴とする体重計収納装置。
【請求項２】
収納キャビネットと、
前記収納キャビネットの体重計収納部に収納された体重計を前方に引き出して体重の測定が可能な状態とする移動機構と、
前記体重計収納部の側端部に設けられ、前記体重計を引き出すと前記収納キャビネットから引き出され、前記体重計を収納すると前記収納キャビネット内に引き込まれるように連動する遮蔽部材と、
を備えたことを特徴とする体重計収納装置。
【請求項３】
前記体重計収納部に前記遮蔽部材の一方の端部が接続され、開閉するパネルに前記遮蔽部材の他方の端部が接続されたことを特徴とする請求項２記載の体重計収納装置。
【請求項４】
前記体重計収納部に前記遮蔽部材としての棒部材が収納され、前記棒部材は前記体重計の側方上部に引き出されることを特徴とする請求項２記載の体重計収納装置。
【請求項５】
収納キャビネットと、
前記収納キャビネットに立掛け収納された体重計を前方に引き出して体重の測定が可能な状態とする移動機構と、
を備え、
前記体重計を前方に引き出した状態において、前記移動機構に対して側方から外力が加わると、前記移動機構と前記収納キャビネットとの連結が外れて、前記移動機構の床面に対して水平方向への移動を許容する着脱部を設けたことを特徴とする体重計収納装置。
【請求項６】
収納キャビネットと、
前記収納キャビネットに立掛け収納された体重計を前方に引き出して体重の測定が可能な状態とする移動機構と、
を備え、
前記移動機構は、前記収納キャビネットに連結された第一部材と、前記第一部材に対して回動可能に接続される第二部材と、前記第一部材と前記第二部材とを固定する接続部と、を有し、
前記第二部材に対して側方から外力が加わると、前記接続部における前記固定が解除されて、床面に対して水平方向への前記第二部材の移動を許容することを特徴とする体重計収納装置。
【請求項７】
収納キャビネットと、
前記収納キャビネットに立掛け収納された体重計を前方に引き出して体重の測定が可能な状態とする移動機構と、
を備え、
前記移動機構は、モータを有し、前記体重計の測定終了状態を検知すると前記モータを駆動させて自動的に前記体重計を前記収納キャビネット内に収納することを特徴とする体重計収納装置。
【発明の詳細な説明】
【技術分野】
【０００１】
本発明は、体重計収納装置に関し、具体的には体重、体脂肪率などを測定可能とする体組成計を収納させる体重計収納装置に関する。
【背景技術】
【０００２】
トイレにおいて、排泄物から生体情報を取得して健康管理を行う試みがある。この試みに伴い、トイレ内において体重、体脂肪率、および血圧などを測定可能とする技術が提供されている（例えば、特許文献１）。特許文献１に記載された技術においては、体重計はトイレの床面の下に埋め込まれており、この体重計の上にはカバーパネルが設けられていた。そして、このカバーパネルの上に人が乗ることによって、体重を測定していた（例えば、特許文献２）。
【０００３】
ところで、最近の体重計は体重だけではなく、人体のインピーダンスを測定して体脂肪率を算出する、いわゆる体組成計が主流となっている。体組成計において体重および体脂肪率などを測定する場合においては、人は裸足で体組成計に乗らなければならない。しかし、特許文献１および特許文献２に記載された体重計においては、体重計の上にカバーパネルが設けられているため、体重計に直接裸足で乗ることはできなかった。また、カバーパネルを設けなければ、体重計に直接裸足で乗ることは可能となるが、体重計が床面の下に埋め込まれているため、外観を損なう、または清掃しにくくなる、という点では改善の余地があった。
【０００４】
そこで、トイレ内に体組成計を出し入れ可能に収納することが求められている。  
一般的な家庭用トイレは、一方の側壁に大便器が設置され、大便器に隣接する側壁に手洗い器が設置されている。また、大便器と正対する壁面、または左右いずれかの側壁にトイレのドアが設置されている。このような一般的な家庭用トイレのレイアウトに体組成計を効率よく収納するためには、収納時に体組成計を床面に対して垂直方向に立てれば、トイレにおける体組成計の占有面積を少なくできるため好ましい（例えば、特許文献３、４）。
【０００５】
しかし、特許文献３、４に記載された収納構造を採用すると、体重計を床の上に置いたままでトイレから出てしまう可能性がある。また、体重計を床面に対して垂直方向に立て掛けて収納した場合において、地震などによる振動によって、収納していた体重計が勝手に倒れて床の上に置かれた状態となる可能性もある。このような場合において、トイレのドアから入室してきた人にとっては、床の上に置かれた体重計は目に付きにくく、足先で躓いて転倒する可能性がある。
【特許文献１】特開２００６−２６３３９１号公報
【特許文献２】特開２００５−２８３４９８号公報
【特許文献３】特開平７−１９８４６８号公報
【特許文献４】実開平６−８４３１８号公報
【発明の開示】
【発明が解決しようとする課題】
【０００６】
本発明は、係る課題の認識に基づいてなされたものであり、体重計を収納した部屋への入室時において、体重計に躓いて転倒する危険性を抑制した体重計収納装置を提供する。
【課題を解決するための手段】
【０００７】
本発明の一態様によれば、収納キャビネットと、前記収納キャビネットの体重計収納部に収納された体重計を前方に引き出して体重の測定が可能な状態とする移動機構と、を備え、前記収納キャビネットは、前記体重計収納部を覆い横開きする扉を有し、前記収納キャビネットから前記体重計を引き出した状態においては、前記体重計の側方に前記扉が開いた状態に保持され、且つ閉止不能となることを特徴とする体重計収納装置が提供される。
【０００８】
また、本発明の他の一態様によれば、収納キャビネットと、前記収納キャビネットの体重計収納部に収納された体重計を前方に引き出して体重の測定が可能な状態とする移動機構と、前記体重計収納部の側端部に設けられ、前記体重計を引き出すと前記収納キャビネットから引き出され、前記体重計を収納すると前記収納キャビネット内に引き込まれるように連動する遮蔽部材と、を備えたことを特徴とする体重計収納装置が提供される。
【０００９】
また、本発明の他の一態様によれば、収納キャビネットと、前記収納キャビネットに立掛け収納された体重計を前方に引き出して体重の測定が可能な状態とする移動機構と、を備え、前記体重計を前方に引き出した状態において、前記移動機構に対して側方から外力が加わると、前記移動機構と前記収納キャビネットとの連結が外れて、前記移動機構の床面に対して水平方向への移動を許容する着脱部を設けたことを特徴とする体重計収納装置が提供される。
【００１０】
また、本発明の他の一態様によれば、収納キャビネットと、前記収納キャビネットに立掛け収納された体重計を前方に引き出して体重の測定が可能な状態とする移動機構と、を備え、前記移動機構は、前記収納キャビネットに連結された第一部材と、前記第一部材に対して回動可能に接続される第二部材と、前記第一部材と前記第二部材とを固定する接続部と、を有し、前記第二部材に対して側方から外力が加わると、前記接続部における前記固定が解除されて、床面に対して水平方向への前記第二部材の移動を許容することを特徴とする体重計収納装置が提供される。
【００１１】
また、本発明の他の一態様によれば、収納キャビネットと、前記収納キャビネットに立掛け収納された体重計を前方に引き出して体重の測定が可能な状態とする移動機構と、を備え、前記移動機構は、モータを有し、前記体重計の測定終了状態を検知すると前記モータを駆動させて自動的に前記体重計を前記収納キャビネット内に収納することを特徴とする体重計収納装置が提供される。
【発明の効果】
【００１２】
本発明によれば、体重計を収納した部屋への入室時において、体重計に躓いて転倒する危険性を抑制した体重計収納装置が提供される。
【発明を実施するための最良の形態】
【００１３】
以下、本発明の実施の形態について図面を参照しつつ説明する。なお、各図面中、同様の構成要素には同一の符号を付して詳細な説明は適宜省略する。  
図１は、本発明の実施の形態に係る体重計収納装置が設置されたトイレ室を例示する模式図である。  
図１に表したトイレ室においては、側壁１０ａの前に大便器８が設置され、大便器８に隣接する側壁１０ｂに体重計収納装置２が設置されている。また、側壁１０ａに対向する側壁１０ｄ（図２参照）においてはトイレのドア１１（図２参照）が設置されている。
【００１４】
図１に表したトイレ室においては、洗浄機構がいわゆる「ロータンク式」の大便器を例示しているが、この洗浄機構はロータンクを用いない、いわゆる「水道直圧式」であってもよい。また、大便器８は、便座に座った使用者の「おしり」などに向けて水を噴射し、「おしり」の洗浄を可能とした温水洗浄便座装置９を有していてもよい。
【００１５】
体重計収納装置２の上部においては、手洗い器６が設置されており、この手洗い器６は、手洗いボウル４と水栓５とを有している。体重計収納装置２の内部においては、体重計１が収納されている。さらに、体重計収納装置２の側面においては、トイレットペーパー１９を保持するペーパーホルダ１８が付設されている。
【００１６】
側壁１０ｂにおいては、側壁１０ｂに沿って延在した棚板１６が設置されていてもよい。さらに、側壁１０ｂにおいては、鏡１２が設置されていてもよいし、側壁１０ａの上部においては、窓１４が設置されていてもよい。
【００１７】
図２は、本発明の第１の実施の形態に係る体重計収納時のトイレ動線の平面図である。  また、図３は、本発明の第１の実施の形態に係る体重計引出時のトイレ動線の平面図である。なお、各方向の関係は、各図面に表した矢印の通りである。  
体重計収納装置２の前方側の面においては、扉３が設けられている。扉３は、床面２０に対して水平方向に回動可能な構造を有している。体重計収納装置２の内部においては、体重計１を保持するための体重計保持部３１が設けられている。体重計保持部３１においては、後述する移動機構が連結され、使用者５４は体重計収納装置２から体重計保持部３１および体重計１を引き出すことが可能である。
【００１８】
体重計１が体重計収納装置２の内部に収納されている場合においては、使用者５４が入り口から体重計収納装置２の前方を通過して大便器８へと向かう動線５８を阻害するものはない。これに対して、体重計１が体重計収納装置２の外部に引き出されている場合においては、使用者５４が入り口から体重計収納装置２の前方を通過して大便器８へと向かう動線５８を体重計１および体重計保持部３１が阻害する。この時、使用者５４は、体重計１が体重計収納装置２から引き出されていることに気付かずに、足先を体重計１または体重計保持部３１に衝突させてしまい、躓くおそれがある。
【００１９】
そこで、体重計収納装置２に扉３を設けて、体重計１を体重計収納装置２の内部に収納しなければ扉３を閉めることができない構造を設ける。このような構造を設けておけば、体重計収納装置２に体重計１を収納し忘れた場合において、体重計の左側方に扉３が開いたままの状態となる。扉３が開いたままの状態であれば、使用者５４の動線５８を扉３が遮蔽する形になり、さらに扉３が使用者５４の視界に入りやすくなるため、使用者５４は足先を体重計１または体重計保持部３１に衝突させて躓くことを避けることができる。
【００２０】
図４は、本実施形態に係る体重計収納装置を例示した模式図である。  
また、図５は、本実施形態に係る体重計収納装置の扉とトイレドアとの関係を例示した模式図である。  
体重計収納装置２は、収納キャビネット７を有している。体重計収納装置２の前方側の面においては、扉３が設けられている。扉３の一方の端部側においては、軸３ａが設けられている。この軸３ａによって、扉３は床面２０に対して水平方向に回動することができる。
【００２１】
体重計収納装置２の下方部においては、体重計保持部３１を体重計収納装置２の前方へ引き出すための移動機構４５が設けられている。移動機構４５は、回転軸３３と、支持部材３４と、丁番４３と、を有する。この丁番４３においては、ばね（図示せず）等が設けられているため、体重計保持部３１は回転軸３３を中心としてゆっくりと回動することができる。
【００２２】
体重計１は、体重計保持部３１に保持されている。従って、体重計保持部３１が前方へ引き出されると、体重計１は体重計保持部３１と共に前方へ引き出されて、床面２０に対して水平方向の姿勢となって停止する。この状態において、使用者５４は体重等の測定をすることができる。体重等を測定する場合においては、体重計１に設けられた電極板５２ａ、５２ｂ、５２ｃ、５２ｄの上に使用者５４の足を乗せる必要がある。従って、電極板５２ａ、５２ｂ、５２ｃ、５２ｄが設けられた面、およびその近傍においては、障害物となるものを配置することができない。従って、扉３が全開した状態においては、扉３は収納キャビネット７に対して９０度以上の開き角度が必要となる。
【００２３】
一方、扉３が全開した状態において、扉３が収納キャビネット７に対して１８０度の開き角度を有すると、遮蔽板としての機能を果たさず、使用者５４は足先を体重計１または体重計保持部３１に衝突させて躓くおそれがある。従って、扉３が全開した状態においては、一定の開き角度以下となる必要がある。この一定の開き角度は、扉３が使用者５４の動線５８上に存在しつつ、扉３とドア１１との距離が最短距離となる、例えば約１１０度程度である。以上より、扉３が全開した状態においては、例えば約９０度〜約１１０度程度の開き角度であることが好ましい。
【００２４】
図６は、本実施形態に係る体重計と使用者との位置関係を例示した模式図であり、図６（ａ）は、扉が設けられていない場合の体重計と使用者との位置関係を例示した模式図であり、図６（ｂ）は、扉が設けられている場合の体重計と使用者との位置関係を例示した模式図である。
【００２５】
扉３（遮蔽板）が設けられていない場合においては、体重計１および体重計保持部３１だけが床面２０に引き出された状態となる。床面２０から体重計１の上面までの高さ寸法Ａは、例えば約５０〜１００ｍｍ程度であるため、体重計１および体重計保持部３１だけが床面２０に引き出された状態においては、トイレへの入室時における使用者５４の視界に体重計１および体重計保持部３１が入りにくい。このことが、使用者５４の足先を体重計１または体重計保持部３１に衝突させて躓くことの原因と考えられる。
【００２６】
これに対して、扉３（遮蔽板）が設けられている場合においては、使用者５４の動線５８上、かつ体重計１および体重計保持部３１よりもドア１１側、に扉３（遮蔽板）が存在することになる。この状態においては、トイレへの入室時における使用者５４の視界に扉３（遮蔽板）が入りやすい。これによって、使用者５４が足先を体重計１または体重計保持部３１に衝突させて躓くことを抑制することができる。
【００２７】
床面２０から扉３の上面までの高さ寸法Ｂをドア１１と同程度の高さに設定すれば、扉３の上面は使用者５４の目線の高さよりも高い所に位置することになり、トイレへの入室時における使用者５４の視界に扉３が入りやすくなる。しかし、本実施形態における扉３は体重計１の真横に設けられているため、寸法Ｂをドア１１と同程度の高さに設定すれば、体重等の測定時に使用者５４が圧迫感を感じるおそれがある。
【００２８】
そこで、床面２０から扉３の上面までの高さ寸法Ｂを収納キャビネット７に収まる最大高さ、例えば約５０５ｍｍ程度、に設定することが好ましい。寸法Ｂを例えば約５０５ｍｍ程度の高さに設定することで、使用者５４は扉３から圧迫感を感じることなく体重等の測定を行うことができる。また、寸法Ｂを例えば約５０５ｍｍ程度に設定すれば、扉３がない場合に比べて、使用者５４の動線５８を阻害するものが使用者５４の視界に入りやすくなるため、使用者５４が足先を体重計１または体重計保持部３１に衝突させて躓くことを抑制することができる。
【００２９】
さらに、使用者５４がトイレに入室する時において、もし体重計１が体重計収納装置２から引き出されたままの状態になっていれば、使用者５４は扉３を跨いでトイレの中に入ることによって、体重計１を体重計収納装置２に収納することができる。使用者が、トレイ室の中において倒れた場合等の緊急時においても、救出者が扉３を跨いでトイレの中に入り、救出作業を行うことができる。  
なお、本実施形態に係る体重計収納装置は、左開きの扉３を例に挙げて説明したが、これに限定されるわけではなく、トイレのレイアウトによって右開きの扉３としてもよい。
【００３０】
図７は、本実施形態の変形例に係る体重計収納装置を例示した模式図である。  
本実施形態の変形例に係る体重計収納装置２においては、図４に表した体重計収納装置２における扉３に設けられた軸３ａが、丁番３ｂに置き換えられている。丁番３ｂは、扉３の上方部と下方部とに１箇所ずつ設けられている。この丁番３ｂは、扉３を収納キャビネット７に対して回動可能とする機能を果たすとともに、扉３と収納キャビネット７とを締結する機能を果たしている。
【００３１】
丁番３ｂは、予め設定された開き角度まで開くと、その開き角度を保持する構造を有している。これによって、扉３は予め設定された開き角度になるまで収納キャビネット７に対して回動し、その開き角度のまま保持される。その他の構成については、図４に表した体重計収納装置と同じであるため、ここではその説明を省略する。
【００３２】
以上説明したように、本実施形態によれば、扉３を設けることによって、使用者５４の動線５８を阻害する扉３が使用者５４の視界に入りやすくなるため、使用者５４が体重計１または体重計保持部３１に躓いて転倒する危険性を抑制することができる。また、使用者５４がトイレに入室する時において、もし体重計１が体重計収納装置２から引き出されたままの状態になっていれば、使用者５４は扉３を跨いでトイレの中に入ることによって、体重計１を体重計収納装置２に収納することもできる。
【００３３】
次に、本発明の第２の実施の形態について説明する。  
図８は、本発明の第２の実施の形態に係る体重計収納装置を左側方から眺めた模式図である。  
図８に表した体重計収納装置２の外形においては、収納キャビネット７が設けられている。また、体重計収納装置２の前方側の面においては、体重計保持部３１が設けられている。この体重計保持部３１が閉じられた場合においては、体重計保持部３１は、体重計収納装置２の内部を隠すための扉としての機能も果たしている。体重計１は、体重計保持部３１に保持されている。
【００３４】
体重計収納装置２の下方部においては、図４に表した体重計収納装置２と同様に、移動機構４５が設けられている。移動機構４５は、回転軸３３と、支持部材３４と、丁番４３と、を有する。この丁番４３においては、ばね（図示せず）等が設けられているため、体重計保持部３１は回転軸３３を中心としてゆっくりと回動することができる。
【００３５】
体重計収納装置２の左側方部においては、遮蔽部材１０３が設けられている。遮蔽部材１０３の一方の端部は、収納キャビネット７に締結されている。遮蔽部材１０３の他方の端部は、体重計保持部３１に締結されている。従って、体重計１が体重計収納装置２の内部に収納されている状態から、体重計保持部３１を前方へ引き出すと、体重計保持部３１の回動と連動して遮蔽部材１０３が前方へ引き出される。また、体重計１が体重計収納装置２の外部に引き出されている状態から、体重計保持部３１を後方へ押し込むと、体重計保持部３１の回動と連動して遮蔽部材１０３が後方へ押し込まれる。遮蔽部材１０３の材質は、例えば布などの柔軟性のあるものからなる。
【００３６】
体重計収納装置２の左側方部に遮蔽部材１０３を設けることによって、使用者５４の動線５８を阻害する遮蔽部材１０３が使用者５４の視界に入りやすくなるため、使用者５４が体重計１または体重計保持部３１に躓いて転倒する危険性を抑制することができる。
【００３７】
以下、本実施形態の具体例について図面を参照しつつ説明する。  
図９は、本実施形態の具体例に係る体重計収納装置を例示した模式図である。  
図９に表した体重計収納装置２においては、図８に表した体重計収納装置２と同様に、収納キャビネット７と、体重計保持部３１と、が設けられている。体重計保持部３１は、体重計収納装置２の下方部に設けられた回転軸３３によって、回動できる構造を有する。体重計１は、体重計保持部３１に保持されている。
【００３８】
体重計収納装置２の左側方部においては、遮蔽部材１０３が設けられている。遮蔽部材１０３は、布１０３ａと、骨１０３ｂと、回転軸１０３ｃと、を有している。遮蔽部材１０３の一方の端部は、固定部材１０４によって収納キャビネット７に締結されている。遮蔽部材１０３の他方の端部は、固定部材１０５によって体重計保持部３１に締結されている。
【００３９】
回転軸１０３ｃは、体重計保持部３１の回動中心である回転軸３３と同軸線上に設けられている。従って、体重計１が体重計収納装置２の内部に収納されている状態から、体重計保持部３１を前方へ引き出すと、体重計保持部３１の回動と連動して、遮蔽部材１０３は回転軸１０３ｃを中心として前方へ回動する。また、体重計１が体重計収納装置２の外部に引き出されている状態から、体重計保持部３１を後方へ押し込むと、体重計保持部３１の回動と連動して、遮蔽部材１０３は回転軸１０３ｃを中心として後方へ回動する。
【００４０】
遮蔽部材１０３は、回転軸１０３ｃを中心として扇形状に布１０３ａと骨１０３ｂとが交互に配列された構造を有しているため、体重計１が体重計収納装置２の内部に収納された場合においては、布１０３ａと骨１０３ｂとが重畳された状態で収納されている。また、体重計１が体重計収納装置２の外部に引き出された場合においては、回転軸１０３ｃを中心として扇形状に布１０３ａと骨１０３ｂとが広げられた状態となる。つまり、遮蔽部材１０３は、いわゆる扇子と同様の基本的原理において開閉することができる。
【００４１】
本実施形態の具体例によれば、体重計収納装置２の左側方部に遮蔽部材１０３を設けることによって、使用者５４の動線５８を阻害する遮蔽部材１０３が使用者５４の視界に入りやすくなるため、使用者５４が体重計１または体重計保持部３１に躓いて転倒する危険性を抑制することができる。
【００４２】
図１０は、本実施形態の他の具体例に係る体重計収納装置を例示した模式図である。  
図１０に表した体重計収納装置２においては、図８に表した体重計収納装置２と同様に、収納キャビネット７と、体重計保持部３１と、が設けられている。体重計保持部３１は、体重計収納装置２の下方部に設けられた回転軸３３によって、回動できる構造を有する。体重計１は、体重計保持部３１に保持されている。
【００４３】
体重計収納装置２の左側方部においては、遮蔽部材１０３が設けられている。遮蔽部材１０３は、例えば１枚の布などからなり、円弧状の形状を有している。遮蔽部材１０３の一方の端部は、固定部材１０６によって収納キャビネット７に締結されている。遮蔽部材１０３の他方の端部は、巻き取り装置１０７に連結されている。巻き取り装置１０７は、巻き取り軸１０７ａを有している。遮蔽部材１０３の他方の端部は、この巻き取り軸１０７ａに締結されている。巻き取り軸１０７ａは、円弧状の遮蔽部材１０３を巻き取る機能を果たしているため、巻き取り軸１０７ａの長手方向の断面形状は、例えば円錐状の形状を有している。
【００４４】
巻き取り装置１０７の内部においては、ゼンマイ（図示せず）が設けられている。体重計１が体重計収納装置２の内部に収納されている場合においては、このゼンマイによって、遮蔽部材１０３は巻き取り軸１０７ａに巻き取られている。従って、体重計１が体重計収納装置２の内部に収納されている状態から、体重計保持部３１を前方へ引き出すと、体重計保持部３１の回動と連動して、遮蔽部材１０３は巻き取り装置１０７から開くことになる。また、体重計１が体重計収納装置２の外部に引き出されている状態から、体重計保持部３１を後方へ押し込むと、体重計保持部３１の回動と連動して、遮蔽部材１０３は巻き取り装置１０７に巻き取られて閉じることになる。つまり、遮蔽部材１０３は、いわゆるロールスクリーンと同様の基本的原理によって開閉することができる。
【００４５】
本実施形態の具体例によれば、体重計収納装置２の左側方部に遮蔽部材１０３を設けることによって、使用者５４の動線５８を阻害する遮蔽部材１０３が使用者５４の視界に入りやすくなるため、使用者５４が体重計１または体重計保持部３１に躓いて転倒する危険性を抑制することができる。  
また、本実施形態の具体例においては、左右側方から遮蔽部材１０３を眺めた形状は、円弧状の形状を有しているが、これに限定されるわけではなく、例えば三角形の形状を有していてもよい。
【００４６】
以上説明したように、本実施形態によれば、遮蔽部材１０３を設けることによって、使用者５４の動線５８を阻害する遮蔽部材１０３が使用者５４の視界に入りやすくなるため、使用者５４が体重計１または体重計保持部３１に躓いて転倒する危険性を抑制することができる。また、使用者５４がトイレに入室する時において、もし体重計１が体重計収納装置２から引き出されたままの状態になっていれば、使用者５４は遮蔽部材１０３を跨いでトイレの中に入ることによって、体重計１を体重計収納装置２に収納することもできる。
【００４７】
次に、本発明の第３の実施の形態について説明する。  
図１１は、本発明の第３の実施の形態に係る体重計収納装置を左側方から眺めた模式図である。  
図１１に表した体重計収納装置２の外形においては、収納キャビネット７が設けられている。また、体重計収納装置２の前方側の面においては、体重計保持部３１が設けられている。この体重計保持部３１が閉じられた場合においては、体重計保持部３１は、体重計収納装置２の内部を隠すための扉としての機能も果たしている。体重計１は、体重計保持部３１に保持されている。
【００４８】
体重計収納装置２の下方部においては、図４に表した体重計収納装置２と同様に、移動機構４５が設けられている。移動機構４５は、回転軸３３と、支持部材３４と、丁番４３と、を有する。この丁番４３においては、ばね（図示せず）等が設けられているため、体重計保持部３１は回転軸３３を中心としてゆっくりと回動することができる。
【００４９】
体重計収納装置２の左側方部においては、遮蔽部材２０３が設けられている。遮蔽部材２０３の一方の端部においては、回転軸２０３ａが設けられている。回転軸２０３ａは、収納キャビネット７に締結されている。従って、遮蔽部材２０３は、回転軸２０３ａを中心として回動できる構造を有する。
【００５０】
体重計収納装置２の内部は、体重計１が体重計収納装置２の内部に収納されている状態から、体重計保持部３１を前方へ引き出すと、体重計保持部３１の回動と連動して遮蔽部材２０３が前方へ引き出される機構を有する。また、体重計収納装置２の内部は、体重計１が体重計収納装置２の外部に引き出されている状態から、体重計保持部３１を後方へ押し込むと、体重計保持部３１の回動と連動して遮蔽部材１０３が後方へ押し込まれる機構を有する。
【００５１】
体重計収納装置２の左側方部に遮蔽部材２０３を設けることによって、使用者５４の動線５８を阻害する遮蔽部材２０３が使用者５４の視界に入りやすくなるため、使用者５４が体重計１または体重計保持部３１に躓いて転倒する危険性を抑制することができる。また、遮蔽部材２０３が体重計保持部３１と連動して前方へ引き出された場合において、その引き出された状態を保持するロック機構（図示せず）などを設ければ、使用者は、体重等の測定時において、遮蔽部材２０３を手すりとして利用することもできる。
【００５２】
以下、本実施形態の具体例について図面を参照しつつ説明する。  
図１２は、本実施形態の具体例に係る体重計収納装置を例示した模式図である。
【００５３】
図１２に表した体重計収納装置２においては、図１１に表した体重計収納装置２と同様に、収納キャビネット７と、体重計保持部３１と、が設けられている。体重計保持部３１は、体重計収納装置２の下方部に設けられた回転軸３３によって、回動できる構造を有する。体重計１は、体重計保持部３１に保持されている。
【００５４】
体重計収納装置２の左側方部においては、遮蔽部材２０３が設けられている。遮蔽部材２０３は、棒状の形状をなしている。回転軸３３の一方の端部においては、歯車２７６ａが設けられており、回転軸３３は、さらに収納キャビネット７に連結されている。歯車２７６ａの上方部においては、歯車２７６ａの回転駆動を伝達される歯車２７６ｂが設けられている。また、遮蔽部材２０３の一方の端部に設けられた回転軸２０３ａにおいては、歯車２７６ｃが設けられており、回転軸２０３ａは、さらに収納キャビネット７に連結されている。歯車２７６ｂと歯車２７６ｃとの間においては、歯車２７６ｂの回転駆動を歯車２７６ｃへと伝達するためのベルト２７７が設けられている。
【００５５】
図１２に表した体重計収納装置２を右側方から眺めた場合において、体重計１が体重計収納装置２の内部に収納されている状態から、体重計保持部３１を前方へ引き出すと、体重計保持部３１および回転軸３３の回動と連動して、歯車２７６ａは反時計回りの回転駆動を有することになる。歯車２７６ａが反時計回りの回転駆動を有すると、この回転駆動が歯車２７６ｂへと伝達され、歯車２７６ｂは時計回りの回転駆動を有する。歯車２７６ｂが時計回りの回転駆動を有すると、この回転駆動がベルト２７７へと伝達され、ベルト２７７は時計回りの駆動を有する。ベルト２７７が時計回りの駆動を有すると、この駆動が歯車２７６ｃへと伝達され、歯車２７６ｃは時計回りの回転駆動を有する。回転軸２０３ａは、歯車２７６ｃと締結され、さらに遮蔽部材２０３はこの回転軸２０３ａに締結されているため、歯車２７６ｃが時計回りの回転駆動を有すると、この回転駆動と連動して遮蔽部材２０３も時計回りの回動を有することになる。
【００５６】
このようにして、体重計１が体重計収納装置２の内部に収納されている状態から、体重計保持部３１を前方へ引き出すと、体重計保持部３１の回動と連動して遮蔽部材２０３が前方へ引き出されることになる。これに対して、体重計１を体重計収納装置２に収納する場合においては、遮蔽部材２０３を下方へ押し下げることによって、歯車２７６ａ、２７６ｂ、２７６ｃと、ベルト２７７と、が前述とは反対向きの駆動を有することになるので、体重計保持部３１が回転軸３３を中心として上方へ回動することになる。体重計保持部３１が上方へ途中まで回動した後においては、体重計保持部３１を直接手で体重計収納装置２へと収納すればよい。
【００５７】
体重計収納装置２の左側方部に遮蔽部材２０３を設けることによって、使用者５４の動線５８を阻害する遮蔽部材２０３が使用者５４の視界に入りやすくなるため、使用者５４が体重計１または体重計保持部３１に躓いて転倒する危険性を抑制することができる。また、遮蔽部材２０３が体重計保持部３１と連動して前方へ引き出された場合において、その引き出された状態を保持するロック機構（図示せず）などを設ければ、使用者は、体重等の測定時において、遮蔽部材２０３を手すりとして利用することもできる。さらに、遮蔽部材２０３を押し下げることによって、体重計保持部３１が上方へ途中まで回動するため、使用者は楽な姿勢で体重計１を体重計収納装置２へと収納することができる。
【００５８】
図１３は、本実施形態の他の具体例に係る体重計収納装置を例示した模式図である。  
図１３に表した体重計収納装置２においては、図１１に表した体重計収納装置２と同様に、収納キャビネット７と、体重計保持部３１と、が設けられている。体重計保持部３１は、体重計収納装置２の下方部に設けられた回転軸３３によって、回動できる構造を有する。体重計保持部３１の左側方部においては、遮蔽部材受け２７８が設けられている。図１３に表した体重計収納装置２を右側方から眺めた場合において、遮蔽部材受け２７８は、いわゆるアルファベットの「Ｊ（ジェイ）」の形状を有している。遮蔽部材受け２７８の材質は、弾力性を持った例えば樹脂材などからなる。体重計１は、体重計保持部３１に保持されている。
【００５９】
体重計収納装置２の左側方部においては、遮蔽部材２０３が設けられている。遮蔽部材２０３は、棒状の形状をなしている。遮蔽部材２０３の一方の端部においては、ラウンド部２０３ｂが設けられている。収納キャビネット７の上方部においては、ばね軸２８０が設けられている。また、収納キャビネット７の下方部においては、遮蔽部材受け２７８が設けられている。ばね軸２８０の周囲においては、ばね２７９が設けられている。ばね２７９の一方の端部は、ばね受け２８１によって収納キャビネット７に締結され、他方の端部は、ばね受け２０３ｃによって遮蔽部材２０３に締結されている。これによって、体重計保持部３１が体重計収納装置２に収納されている場合においては、ばね２７９は、遮蔽部材２０３を前方へ引き出す方向への力を蓄積していることになる。
【００６０】
図１４は、本具体例に係る遮蔽部材受け近傍を前方から眺めた拡大模式図であり、図１４（ａ）は、体重計保持部が収納された状態を例示した模式図であり、図１４（ｂ）は、体重計保持部が前方へ引き出された状態を例示した模式図である。  
体重計１が体重計収納装置２の内部に収納されている状態においては、遮蔽部材２０３は、ばね２７９から前方へ引き出される力を受けているが、遮蔽部材受け２７８が遮蔽部材２０３の前方部に位置しているため、遮蔽部材２０３は前方へ回動することはできない。これに対して、体重計１が体重計収納装置２の内部に収納されている状態から、体重計保持部３１を前方へ引き出すと、体重計保持部３１と共に遮蔽部材受け２７８が回動する。体重計保持部３１と遮蔽部材受け２７８とが回動を続け、遮蔽部材受け２７８の上端部２７８ａが遮蔽部材２０３よりも下方側に位置するようになると、遮蔽部材２０３のロックが解除され、ばね２７９から受けている力によって、遮蔽部材２０３は前方へと引き出されることになる。
【００６１】
このようにして、体重計１が体重計収納装置２の内部に収納されている状態から、体重計保持部３１を前方へ引き出すと、体重計保持部３１の回動と連動して遮蔽部材２０３が前方へ引き出されることになる。これに対して、体重計１を体重計収納装置２に収納する場合においては、遮蔽部材２０３は体重計保持部３１の回動と連動する構造を有していない。まず、体重計保持部３１を体重計収納装置２の内部に収納した後、遮蔽部材２０３を収納することになる。
【００６２】
この場合において、遮蔽部材受け２７８は弾力性のある樹脂材などからなるため、遮蔽部材２０３を遮蔽部材受け２７８へ押し込むと、遮蔽部材受け２７８は弾性変形を生じる。さらに、遮蔽部材２０３の遮蔽部材受け２７８と接触する部分においては、ラウンド部２０３ｂが設けられているため、遮蔽部材２０３は、遮蔽部材受け２７８の弾力性で上端部２７８ａを乗り越えることができる。従って、使用者５４は遮蔽部材２０３を遮蔽部材受け２７８に無理入れすることができる。
【００６３】
また、体重計保持部３１を体重計収納装置２に収納する前において、遮蔽部材２０３を体重計収納装置２に収納すると、遮蔽部材受け２７８の上端部２７８ａが遮蔽部材２０３の下方に位置していることになるため、遮蔽部材２０３は、ばね２７９から力をうけて再び前方へと引き出されることになる。従って、図１３に表した体重計収納装置２は、体重計保持部３１を体重計収納装置２に収納しないと、遮蔽部材２０３を必ず収納できない構造を有している。このため、体重計保持部３１の収納を忘れた場合においては、使用者５４の入室時の体重計１または体重計保持部３１への躓きによる転倒を抑制することができる。
【００６４】
体重計収納装置２の左側方部に遮蔽部材２０３を設けることによって、使用者５４の動線５８を阻害する遮蔽部材２０３が使用者５４の視界に入りやすくなるため、使用者５４が体重計１または体重計保持部３１に躓いて転倒する危険性を抑制することができる。また、遮蔽部材２０３が体重計保持部３１と連動して前方へ引き出された場合において、その引き出された状態を保持するロック機構（図示せず）などを設ければ、使用者は、体重等の測定時において、遮蔽部材２０３を手すりとして利用することもできる。
【００６５】
以上説明したように、本実施形態によれば、遮蔽部材２０３を設けることによって、使用者５４の動線５８を阻害する遮蔽部材２０３が使用者５４の視界に入りやすくなるため、使用者５４が体重計１または体重計保持部３１に躓いて転倒する危険性を抑制することができる。また、使用者５４がトイレに入室する時において、もし体重計１が体重計収納装置２から引き出されたままの状態になっていれば、使用者５４は遮蔽部材１０３を跨いでトイレの中に入ることによって、体重計１を体重計収納装置２に収納することもできる。
【００６６】
次に、本発明の第４の実施の形態について説明する。  
図１５は、本発明の第４の実施の形態に係る体重計収納装置を上方から眺めた模式図である。  
また、図１６は、本実施形態に係る体重計収納装置を斜め上方から眺めた模式図である。  
また、図１７は、本実施形態に係る体重計収納装置のヒンジ部を前方から眺めたＡ−Ａ断面図である。  
なお、図１５に表した体重計収納装置においては、説明の便宜上、収納キャビネットの上方側の壁面を省略して表している。
【００６７】
図１５に表した体重計収納装置２は、図４に表した体重計収納装置と同様に、外形に収納キャビネット７を備えている。体重計収納装置２の内部においては、体重計保持部３１が設けられている。体重計１は、体重計保持部３１に保持されている。収納キャビネット７の前方部の左右端部においては、案内部材３６０が設けられている。案内部材３６０は、前方部に斜面３６０ａを有している。
【００６８】
体重計保持部３１の後方部においては、ヒンジ３４３が設けられている。ヒンジ３４３は、体重計保持部３１の後方部の２箇所に設けられている。ヒンジ３４３の上方側の面と、下方側の面と、においては、凹形状のボール受け３４３ａがそれぞれの面に１箇所ずつ設けられている。体重計収納装置２の下方部においては、ヒンジ受け３４４と、回転軸３３３と、が設けられている。回転軸３３３の一方の端部は、ヒンジ受け３４４に締結されており、他方の端部は、収納キャビネット７の内部に連結されている。これによって、体重計保持部３１は、ヒンジ受け３４４と共に回動できる構造を有している。
【００６９】
なお、本実施形態に係る体重計収納装置２は、ヒンジ受け３４４に回転軸３３３が設けられ、体重計保持部３１は、ヒンジ受け３４４と共に回動できる構造を有しているが、これに限定されるわけではなく、ヒンジ３４３が例えば２部品以上を有し、ヒンジ３４３が回動可能な構造を有していてもよい。
【００７０】
ヒンジ受け３４４の内部においては、ボール３８５と、ばね３８７と、が上方部と下方部とにそれぞれ１箇所ずつ設けられている。ボール３８５はヒンジ３４３に設けられたボール受け３４３ａに嵌っており、かつ、ばね３８７によってヒンジ３４３の方向に押し付けられている。これによって、ヒンジ受け３４４とヒンジ３４３との相対位置は、ヒンジ３４３が回動した場合においても略同じ位置にあることになる。
【００７１】
従って、体重計１が床面に対して水平方向の姿勢になった場合においても、ヒンジ受け３４４と体重計保持部３１との相対位置は略同じ位置にあることになる。さらに、体重等の測定時においては、体重計保持部３１に加わる力は、略下方に向かう方向である。このため、体重等の測定時に体重計１が移動することなく、使用者５４は安全に体重等を測定することができる。
【００７２】
これに対して、使用者５４の動線５８に沿って、使用者５４の足先が体重計保持部３１または体重計１に接触した場合においては、ばね３８７によって押し付けられているボール３８５が、ボール受け３４３ａの凹形状から外れる。ボール３８５がボール受け３４３ａから外れる始める力は、ボール３８５の球径と、ボール受け３４３ａの径および深さと、ばね３８７のばね定数と、を適宜設定することで調整できる。
【００７３】
ボール３８５がボール受け３４３ａから外れると、ヒンジ受け３４４からヒンジ３４３が外れて、結果として体重計保持部３１と体重計１とがヒンジ受け３４４から外れることになる。この動作によって、使用者５４の足先が体重計保持部３１または体重計１に衝突した時の衝撃を低減することができる。従って、使用者５４が体重計１または体重計保持部３１に躓いて転倒する危険性を抑制することができる。
【００７４】
体重計保持部３１がヒンジ受け３４４から外れた後、再び装着させる場合においては、体重計保持部３１を手で持ってヒンジ受け３４４に右側方から左側方に向かって差し込むとよい。この動作によって、ばね３８７が収縮されてボール３８５が上下方向に移動し、ボール受け３４３ａに嵌ると、再びばね３８７の伸張によってボール３８５がヒンジ３４３に押さえ付けられて、ヒンジ３４３とヒンジ受け３４４との相対位置が略同じ位置に決まる。
【００７５】
体重計保持部３１を体重計収納装置２に収納する場合においては、案内部材３６０が収納キャビネットの前方部の左右端部に設けられているため、体重計保持部３１の左右側面が案内部材３６０によって案内される。従って、収納時の体重計保持部３１の移動によって、体重計保持部３１がヒンジ受け３４４からの抜けることを防止することができる。また、案内部材３６０の前方部においては、斜面３６０ａが設けられているため、体重計保持部３１が案内部材３６０に引っ掛かることなく、容易に体重計保持部３１を収納することができる。
【００７６】
以上説明したように、本実施形態によれば、体重計保持部３１または体重計１に左側方からの力が加わると、体重計保持部３１が体重計１と共にヒンジ受け３４４から外れることによって、使用者５４の足先が体重計保持部３１または体重計１に衝突した時の衝撃を低減することができる。従って、使用者５４が体重計１または体重計保持部３１に躓いて転倒する危険性を抑制することができる。
【００７７】
次に、本発明の第５の実施の形態について説明する。
【００７８】
図１８は、本発明の第５の実施の形態に係る体重計収納装置を上方から眺めた模式図である。  
また、図１９は、本実施形態に係る体重計収納装置を左側方から眺めた模式図である。
また、図２０は、本実施形態に係る体重計収納装置の体重計保持部と支持部材との連結部を左側方から眺めたＢ−Ｂ断面図である。  
なお、図１８に表した体重計収納装置においては、説明の便宜上、収納キャビネットの上方側の壁面を省略して表している。また、図１９に表した体重計収納装置においては、説明の便宜上、収納キャビネットの左側方の壁面を省略して表している。
【００７９】
図１８に表した体重計収納装置２は、図４に表した体重計収納装置と同様に、外形に収納キャビネット７を備えている。体重計収納装置２の内部においては、体重計保持部３１が設けられている。体重計１は、体重計保持部３１に保持されている。収納キャビネット７の前方部の左右端部においては、案内部材３６０が設けられている。案内部材３６０は、前方部に斜面３６０ａを有している。
【００８０】
体重計保持部３１の下方側においては、支持部材４３４が設けられている。また、体重計保持部３１の後方側においては、回転軸４８９が設けられている。体重計保持部３１と支持部材４３４とは、回転軸４８９を介して連結されており、体重計保持部３１は、回転軸４８９を中心として回動できる構造を有している。支持部材４３４は、左右側方に回転軸４３３を有している。回転軸４３３の一方の端部は、支持部材４３４に締結されており、他方の端部は、収納キャビネット７の内部に連結されている。これによって、体重計保持部３１は、支持部材４３４と共に回動できる構造を有している。
【００８１】
なお、本実施形態に係る体重計収納装置２は、体重計保持部３１の下方側に支持部材４３４が設けられているが、体重計保持部３１の上方側に支持部材４３４が設けられていてもよい。但し、この場合であっても、体重計保持部３１と床面２０との間においては、隙間があることが好ましい。これは、体重計保持部３１を手で回動させて収納する時において、手が床面２０に触れないようにすることが好ましいためである。さらに、体重計１の使用時などにおいて、足先が体重計保持部３１の下方部に入る方が、実使用上、利便性が高いからである。
【００８２】
体重計保持部３１の内部においては、ボール４８５と、ばね４８７と、が設けられている。ボール４８５は、支持部材４３４の上方側の面に設けられたボール受け４３４ａに嵌っており、且つ、ばね４８７によって支持部材４３４の方向に押し付けられている。これによって、体重計保持部３１と支持部材４３４との相対位置は、支持部材４３４が回動した場合においても略同じ位置にあることになる。
【００８３】
従って、体重計１が床面２０に対して水平方向の姿勢になった場合においても、体重計保持部３１と支持部材４３４との相対位置は略同じ位置にあることになる。さらに、体重等の測定時においては、体重計保持部３１に加わる力は、略下方に向かう方向である。このため、体重等の測定時に体重計１が移動することなく、使用者５４は安全に体重等を測定することができる。
【００８４】
これに対して、使用者５４の動線５８に沿って、使用者５４の足先が体重計保持部３１または体重計１に接触した場合においては、ばね４８７によって押し付けられているボール４８５が、ボール受け４３４ａの凹形状から外れる。ボール４８５がボール受け４３４ａから外れる始める力は、ボール４８５の球径と、ボール受け４３４ａの径および深さと、ばね４８７のばね定数と、を適宜設定することで調整できる。
【００８５】
ボール４８５がボール受け４３４ａから外れると、体重計保持部３１は体重計１と共に、回転軸４８９を中心として回動することになる。この動作によって、使用者５４の足先が体重計保持部３１または体重計１に衝突した時の衝撃を低減することができる。従って、使用者５４が体重計１または体重計保持部３１に躓いて転倒する危険性を抑制することができる。
【００８６】
ボール４８５がボール受け４３４ａから外れて、体重計保持部３１が回転軸４８９を中心として回動した後、再び体重計保持部３１を支持部材４３４に対して略同じ位置に装着させる場合においては、体重計保持部３１を手で持って回転軸４８９を中心に回動させればよい。この動作によって、ばね４８７が収縮されてボール４８５が上方へ移動し、ボール受け４３４ａに嵌ると、再びばね４８７の伸張によってボール４８５が支持部材４３４に押さえ付けられて、体重計保持部３１と支持部材４３４との相対位置が略同じ位置に決まる。
【００８７】
体重計保持部３１を体重計収納装置２に収納する場合においては、案内部材３６０が収納キャビネットの前方部の左右端部に設けられているため、体重計保持部３１の左右側面が案内部材３６０によって案内される。従って、収納時の体重計保持部３１の移動によって、ボール４８５がボール受け４３４ａからの抜けることを防止することができる。また、案内部材３６０の前方部においては、斜面３６０ａが設けられているため、体重計保持部３１が案内部材３６０に引っ掛かることなく、容易に体重計保持部３１を収納することができる。
【００８８】
以上説明したように、本実施形態によれば、体重計保持部３１または体重計１に左側方からの力が加わると、体重計保持部３１が体重計１と共に回転軸４８９を中心として回動することによって、使用者５４の足先が体重計保持部３１または体重計１に衝突した時の衝撃を低減することができる。従って、使用者５４が体重計１または体重計保持部３１に躓いて転倒する危険性を抑制することができる。
【００８９】
次に、本発明の第６の実施の形態について説明する。  
図２１は、本実施形態に係る体重計収納装置を例示した模式図である。  
図２１に表した体重計収納装置２は、図４に表した体重計収納装置と同様に、外形に収納キャビネット７を備えている。体重計収納装置２の前方においては、体重計保持部５３１が設けられている。この体重計保持部５３１は、体重計１を保持する機能と、体重計収納装置２の扉としての機能と、を兼ねている。従って、体重計１が体重計収納装置２の内部に収納された場合においては、体重計保持部５３１は、化粧パネル（扉）としての機能を果たす。
【００９０】
体重計収納装置２の下方部においては、体重計保持部５３１を体重計収納装置２の前方へ引き出すための移動機構５４５が設けられている。移動機構５４５は、回転軸５３３と、支持部材５３４と、丁番５４３と、を有する。この丁番５４３の内部においては、モータ（図示せず）が設けられている。
【００９１】
体重計１は、体重計保持部５３１に保持されている。従って、体重計保持部５３１が前方へ引き出されると、体重計１は体重計保持部５３１と共に前方へ引き出されて、床面２０に対して水平方向の姿勢となって停止する。この状態において、使用者５４は体重等の測定をすることができる。
【００９２】
体重計収納装置２の上方部においては、開閉操作スイッチ５１１と、通信基盤５１２と、が設けられている。開閉操作スイッチ５１１と通信基盤５１２とは、電気的に接続されている。また、通信基盤５１２と丁番５４３の内部に設けられたモータとは、通信ケーブル５１３によって電気的に接続されている。但し、本実施形態においては、通信基盤５１２と丁番５４３の内部に設けられたモータとは、通信ケーブル５１３によって電気的に接続されているが、これに限定されるわけではなく、例えば無線通信方式によって接続されていてもよい。
【００９３】
本実施形態の体重計収納装置２は、体重計１の測定終了状態を検知すると、丁番５４３の内部に設けられたモータを駆動させて、自動的に体重計１を体重計収納装置２の内部に収納する構造を有している。体重計１の測定終了状態の検知手段としては、例えば、体重計保持部５３１の「閉止スイッチ入」による検知手段、体重計１の「スイッチ切」による検知手段、体重計１の「スイッチ入」から所定時間経過後の「オート切」による検知手段、体重計保持部５３１の「開放スイッチ入」から所定時間経過後の「オート切」による検知手段、体重計１による測定データを例えばパソコンなどに転送するための「転送スイッチ入」による検知手段、大便器８に設けられた「入室検知センサ」による検知手段、大便器８に設けられた「人体検知センサ」による検知手段、または大便器８に設けられた「着座検知センサ」、などが挙げられる。
【００９４】
図２２は、本実施形態に係る体重計収納動作を例示したフローチャート図である。  
使用者５４が、体重計保持部５３１の開閉操作スイッチ５１１を押すと（ステップＳ６００）、通信基盤５１２は、開閉操作スイッチ５１１が単純に押された場合と、開閉操作スイッチ５１１が５秒以上押し続けられた場合と、の判断を行う。開閉操作スイッチ５１１が単純に押された場合においては、体重計保持部５３１の現在の移行状態をチェックする（ステップＳ６０２）。
【００９５】
体重計保持部５３１が現在閉じた状態であることを検知すると、体重計保持部５３１の開放動作を行う（ステップＳ６０４）。体重計保持部５３１の開放動作を行うと、体重計１の「スイッチ入」の状態をチェックする（ステップＳ６０６）。体重計１のスイッチが入った状態であることを検知すると、体重計保持部５３１の開放状態を継続する（ステップＳ６０８）。体重計保持部５３１の開放状態を継続した後、体重計１の「スイッチ切」、または開閉操作スイッチ５１１の「スイッチ入」の状態をチェックする（ステップＳ６１０）。体重計１のスイッチが入った状態、または開閉操作スイッチ５１１のスイッチが切れた状態、であることを検知すると、体重計１の「オート切」の動作チェックを行う（ステップＳ６１２）。
【００９６】
体重計１の「オート切」が動作していないことを検知すると、体重計保持部５３１の開放状態の継続へと戻る（ステップＳ６０８）。一方、体重計１の「オート切」が動作したことを検知すると、体重計保持部５３１の収納動作を行う（ステップＳ６１４）。
【００９７】
体重計保持部５３１の収納動作中においては、丁番５４３の内部に設けられたモータへの過負荷発生の状態をチェックしている（ステップＳ６１６）。モータへの過負荷発生が検知されなければ、そのまま体重計保持部５３１の収納動作の継続を行い（ステップＳ６１８）、その後待機状態となる（ステップＳ６２０）。一方、モータへの過負荷発生が検知されれば、人体または物などが、体重計保持部５３１と収納キャビネット７との間に挟まれたおそれがあるため、すぐにモータを停止して（ステップＳ６２４）、体重計保持部５３１の開放動作へと戻る（ステップＳ６０４）。
【００９８】
ステップＳ６１０において、体重計１のスイッチが切れた状態、または開閉操作スイッチ５１１のスイッチが入った状態、であることを検知すると、体重計保持部５３１の収納動作を行う（ステップＳ６１４）。体重計保持部５３１の収納動作（ステップＳ６１４）を行った後においては、前述した通りである。
【００９９】
ステップＳ６０６において、体重計１のスイッチが切れた状態であることを検知すると、開閉操作スイッチ５１１を押してからの時間が３分経過した状態、または開閉操作スイッチが「スイッチ入」の状態、であることを検知した後、体重計保持部５３１の収納動作を行う（ステップＳ６１４）。体重計保持部５３１の収納動作（ステップＳ６１４）を行った後においては、前述した通りである。
【０１００】
ステップＳ６０２において、体重計保持部５３１が現在開いた状態であることを検知すると、体重計保持部５３１の収納動作を行う（ステップＳ６１４）。体重計保持部５３１の収納動作（ステップＳ６１４）を行った後においては、前述した通りである。
【０１０１】
ステップＳ６００において、開閉操作スイッチ５１１が５秒以上押し続けられたことを検知すると、体重計収納装置２を掃除するための掃除モードになり、体重計保持部５３１の開放状態を無期限に継続する（ステップＳ６２６）。その後、再度開閉操作スイッチ５１１が押されたことを検知すると、体重計保持部５３１の収納動作を行う（ステップＳ６１４）。体重計保持部５３１の収納動作（ステップＳ６１４）を行った後においては、前述した通りである。
【０１０２】
図２３は、本実施形態に係る体重計収納装置が設置されたトイレ室に設けられた装置を例示したブロック図である。  
トイレ室においては、体重計収納装置２と、大便器８と、操作表示装置６５０と、トイレ用リモコン６５２と、が設けられている。
【０１０３】
体重計収納装置２においては、開閉操作スイッチ５１１と、通信基盤５１２と、体重計１と、モータ５４３と、が備えられている。通信基盤５１２は、受信部５１２ａと、制御部５１２ｂと、送信部５１２ｃと、を有している。体重計１は、測定ＯＮ／ＯＦＦスイッチ５３と、制御部１ａと、送信部（アンテナ）１ｂと、測定部１ｃと、を有している。
【０１０４】
大便器８は、入室検知センサ８ａと、人体検知センサ８ｂと、着座検知センサ８ｃと、受信部８ｄと、制御部８ｅと、送信部（アンテナ）８ｆと、局部洗浄装置８ｇと、便器洗浄装置８ｈと、を有している。
【０１０５】
操作表示装置６５０は、受信部（アンテナ）６５０ａと、操作部６５０ｂと、受信部６５０ｃと、制御部６５０ｄと、送信部６５０ｅと、表示部６５０ｆと、メモリ６５０ｇと、を有している。  
トイレ用リモコン６５２は、操作部６５２ａと、制御部６５２ｂと、送信部６５２ｃと、表示部６５２ｄと、を有している。
【０１０６】
体重計１で測定された体重等のデータは、送信部（アンテナ）１ｂから、操作表示装置６５０に設けられた受信部（アンテナ）６５０ａに送信される。または、通信基盤５１２に設けられた送信部５１２ｃから、血圧計６５４および尿糖測定器６５６で測定されたデータと同様に、操作表示装置６５０に設けられた受信部６５０ｃに送信される。受信部（アンテナ）６５０ａまたは受信部６５０ｃで受信したデータは、操作表示装置６５０に設けられた制御部６５０ｄに送信される。さらに、この制御部６５０ｄからＬＡＮを経由してパソコン６５８にデータを送信することができる。
【０１０７】
制御部６５０ｄからＬＡＮを経由してパソコン６５８にデータを送信するのと同時に、制御部６５０ｄは、送信部６５０ｅへ信号を送信する。この信号を受け取った送信部６５０ｅは、体重計収納装置２に設けられた受信部５１２ａに信号を送信する。さらに受信部５１２ａは、この信号を制御部５１２ｂへ送信する。制御部５１２ｂは、この信号を受け取ると、モータを駆動させて、体重計保持部５３１を体重計収納装置２の内部に収納する。以上の動作によって、体重計１で測定された体重等のデータが、パソコン６５８などに転送されると、体重計１が体重計収納装置２の内部に収納される。
【０１０８】
また、大便器８に設けられた入室検知センサ８ａ、人体検知センサ８ｂ、または着座検知センサ８ｃを検知手段として、体重計１を体重計収納装置２の内部に収納してもよい。この場合、入室検知センサ８ａ、人体検知センサ８ｂ、または着座検知センサ８ｃが測定終了状態を検知すると、大便器８に設けられた制御部８ｅに信号が送信される。制御部８ｅが入室検知センサ８ａ、人体検知センサ８ｂ、または着座検知センサ８ｃからの信号を受信すると、送信部（アンテナ）８ｆへ信号を送信する。送信部（アンテナ）８ｆが、制御部８ｅからの信号を受信すると、操作表示装置６５０に設けられた受信部（アンテナ）６５０ａに信号を送信する。
【０１０９】
受信部（アンテナ）６５０ａが信号を受信すると、操作表示装置６５０に設けられた制御部６５０ｄに信号を送信する。制御部６５０ｄは、制御部６５０ｄからの信号を受信すると、送信部６５０ｅに信号を送信する。この信号を受け取った送信部６５０ｅは、体重計収納装置２に設けられた受信部５１２ａに信号を送信する。さらに受信部５１２ａは、この信号を制御部５１２ｂへ送信する。制御部５１２ｂは、この信号を受け取ると、モータを駆動させて、体重計保持部５３１を体重計収納装置２の内部に収納する。以上の動作によって、大便器８に設けられた入室検知センサ８ａ、人体検知センサ８ｂ、または着座検知センサ８ｃを検知手段として、体重計１が体重計収納装置２の内部に収納される。
【０１１０】
以上説明したように、本実施形態によれば、体重計１の測定終了状態を検知すると、体重計収納装置２は丁番５４３の内部に設けられたモータを駆動させて、自動的に体重計１を体重計収納装置２の内部に収納することができる。従って、体重計１および体重計保持部５３１が床面２０に引き出されたまま放置されることがないため、使用者５４が体重計１または体重計保持部３１に躓いて転倒する危険性を抑制することができる。なお、各機器の間を無線で通信するのに代えて、各機器間を有線接続して有線で通信するようにしてもよい。
【０１１１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、図１５に表した体重計収納装置２においては、右側方に向かって体重計保持部３１と体重計１とがヒンジ受け３４４から外れる構造を例示したが、トイレ室のレイアウトに合わせて左側方に向かって体重計保持部３１と体重計１とがヒンジ受け３４４から外れる構造としてもよい。また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【０１１２】
【図１】本発明の実施の形態に係る体重計収納装置が設置されたトイレ室を例示する模式図である。
【図２】本発明の第１の実施の形態に係る体重計収納時のトイレ動線の平面図である。
【図３】本発明の第１の実施の形態に係る体重計引出時のトイレ動線の平面図である。
【図４】本実施形態に係る体重計収納装置を例示した模式図である。
【図５】本実施形態に係る体重計収納装置の扉とトイレドアとの関係を例示した模式図である。
【図６】本実施形態に係る体重計と使用者との位置関係を例示した模式図であり、図６（ａ）は、扉が設けられていない場合の体重計と使用者との位置関係を例示した模式図であり、図６（ｂ）は、扉が設けられている場合の体重計と使用者との位置関係を例示した模式図である。
【図７】本実施形態の変形例に係る体重計収納装置を例示した模式図である。
【図８】本発明の第２の実施の形態に係る体重計収納装置を左側方から眺めた模式図である。
【図９】本実施形態の具体例に係る体重計収納装置を例示した模式図である。
【図１０】本実施形態の他の具体例に係る体重計収納装置を例示した模式図である。
【図１１】本発明の第３の実施の形態に係る体重計収納装置を左側方から眺めた模式図である。
【図１２】本実施形態の具体例に係る体重計収納装置を例示した模式図である。
【図１３】本実施形態の他の具体例に係る体重計収納装置を例示した模式図である。
【図１４】本具体例に係る遮蔽部材受け近傍を前方から眺めた拡大模式図であり、図１４（ａ）は、体重計保持部が収納された状態を例示した模式図であり、図１４（ｂ）は、体重計保持部が前方へ引き出された状態を例示した模式図である。
【図１５】本発明の第４の実施の形態に係る体重計収納装置を上方から眺めた模式図である。
【図１６】本実施形態に係る体重計収納装置を斜め上方から眺めた模式図である。
【図１７】本実施形態に係る体重計収納装置のヒンジ部を前方から眺めたＡ−Ａ断面図である。
【図１８】本発明の第５の実施の形態に係る体重計収納装置を上方から眺めた模式図である。
【図１９】本実施形態に係る体重計収納装置を左側方から眺めた模式図である。
【図２０】本実施形態に係る体重計収納装置の体重計保持部と支持部材との連結部を左側方から眺めたＢ−Ｂ断面図である。
【図２１】本実施形態に係る体重計収納装置を例示した模式図である。
【図２２】本実施形態に係る体重計収納動作を例示したフローチャート図である。
【図２３】本実施形態に係る体重計収納装置が設置されたトイレ室に設けられた装置を例示したブロック図である。
【符号の説明】
【０１１３】
１ 体重計、  １ａ 制御部、  １ｂ 送信部（アンテナ）、  １ｃ 測定部、  ２ 体重計収納装置、  ３ 扉、  ３ａ 軸、  ３ｂ 丁番、  ４ 手洗いボウル、  ５ 水栓、  ６ 手洗い器、  ７ 収納キャビネット、  ８ 大便器、  ８ａ 入室検知センサ、  ８ｂ 人体検知センサ、  ８ｃ 着座検知センサ、  ８ｄ 受信部、  ８ｅ 制御部、  ８ｇ 局部洗浄装置、  ８ｈ 便器洗浄装置、  ９ 温水洗浄便座装置、  １０ａ 側壁、  １０ｂ 側壁、  １０ｄ 側壁、  １１ ドア、  １２ 鏡、  １４ 窓、  １６ 棚板、  １８ ペーパーホルダ、  １９ トイレットペーパー、  ２０ 床面、  ３１ 体重計保持部、  ３３ 回転軸、  ３４ 支持部材、  ４３ 丁番、  ４５ 移動機構、  ５２ａ、５２ｂ、５２ｃ、５２ｄ 電極板、  ５３ 測定ＯＮ／ＯＦＦスイッチ、  ５４ 使用者、  ５８ 動線、  １０３ 遮蔽部材、  １０３ａ 布、  １０３ｂ 骨、  １０３ｃ 回転軸、  １０４ 固定部材、  １０５ 固定部材、  １０６ 固定部材、  １０７ 巻き取り装置、  １０７ａ 巻き取り軸、  ２０３ 遮蔽部材、  ２０３ａ 回転軸、  ２０３ｂ ラウンド部、  ２０３ｃ ばね受け、  ２７６ａ 歯車、  ２７６ｂ 歯車、  ２７６ｃ 歯車、  ２７７ ベルト、  ２７８ 遮蔽部材受け、  ２７８ａ 上端部、  ２８０ ばね軸、  ２８１ ばね受け、  ３３３ 回転軸、  ３４３ ヒンジ、  ３４３ａ ボール受け、  ３４４ ヒンジ受け、  ３６０ 案内部材、  ３６０ａ 斜面、  ３８５ ボール、  ４３３ 回転軸、  ４３４ 支持部材、  ４３４ａ ボール受け、  ４８５ ボール、  ４８９ 回転軸、  ５１１ 開閉操作スイッチ、  ５１２ 通信基盤、  ５１２ａ 受信部、  ５１２ｂ 制御部、  ５１２ｃ 送信部、  ５１３ 通信ケーブル、  ５３１ 体重計保持部、  ５３３ 回転軸、  ５３４ 支持部材、  ５４３ 丁番、  ５４５ 移動機構、  ６５０ 操作表示装置、  ６５０ａ 受信部（アンテナ）、  ６５０ｂ 操作部、  ６５０ｃ 受信部、  ６５０ｄ 制御部、  ６５０ｅ 送信部、  ６５０ｆ 表示部、  ６５０ｇ メモリ、  ６５２ トイレ用リモコン、  ６５２ａ 操作部、  ６５２ｂ 制御部、  ６４２ｃ 送信部、  ６５２ｄ 表示部、  ６５４ 血圧計、  ６５６ 尿糖測定器、  ６５８ パソコン
【図１】
2009069115.tif 000003
【図２】
2009069115.tif 000004
【図３】
2009069115.tif 000005
【図４】
2009069115.tif 000006
【図５】
2009069115.tif 000007
【図６】
2009069115.tif 000008
【図７】
2009069115.tif 000009
【図８】
2009069115.tif 000010
【図９】
2009069115.tif 000011
【図１０】
2009069115.tif 000012
【図１１】
2009069115.tif 000013
【図１２】
2009069115.tif 000014
【図１３】
2009069115.tif 000015
【図１４】
2009069115.tif 000016
【図１５】
2009069115.tif 000017
【図１６】
2009069115.tif 000018
【図１７】
2009069115.tif 000019
【図１８】
2009069115.tif 000020
【図１９】
2009069115.tif 000021
【図２０】
2009069115.tif 000022
【図２１】
2009069115.tif 000023
【図２２】
2009069115.tif 000024
【図２３】
2009069115.tif 000025